(57)【特許請求の範囲】
【請求項１】
複数の通信局となる伝送装置を用いて無線ネットワークを構成し、該当する無線ネットワークの伝送制御を実行する無線伝送制御方法において、
管理情報の交換を行う管理領域とデータの交換を行うデータ領域の存在する所定のフレーム周期を設けて、上記フレーム周期の３以上の整数倍となる休眠周期と、その休眠周期よりも短い上記フレーム周期の２以上の整数倍となる動作周期を設定して、上記動作周期に情報交換を行う
無線伝送制御方法。
【請求項２】
上記無線ネットワークの管理を行うために、端末局となる上記伝送装置から間欠的に送信される上記情報として、上記端末局が認識することができる周辺の他の端末局の情報を、上記動作周期に収集しておく
請求項１記載の無線伝送制御方法。
【請求項３】
上記無線ネットワークの制御局となる上記伝送装置から、スリープモード中の該当通信局に間欠的に情報送信を行って上記該当通信局が受信を行う第1の周期を設定し、
スリープモード中の該当通信局から上記制御局に向けて間欠的に情報を送信する第２の周期を設定した
請求項１記載の無線伝送制御方法。
【請求項４】
上記動作周期において、スリープモード中の上記該当通信局に対して起動指示を行う
請求項３記載の無線伝送制御方法。
【請求項５】
スリープモード中の上記該当通信局から上記スリープモードの解除を行うときは、上記動作周期において上記制御局に対して上記スリープモード解除の通知を行う
請求項３記載の無線伝送制御方法。
【請求項６】
複数の通信局となる伝送装置を用いて無線ネットワークを構成し、該当する無線ネットワークの伝送制御を実行する無線伝送制御方法において、
所定のフレーム周期を設けて、
上記無線ネットワークの制御局となる上記伝送装置からスリープモード中の該当通信局に間欠的に情報送信を行って上記該当通信局が受信を行う、上記フレーム周期の整数倍となる第１の周期を設定し、スリープモード中の上記該当通信局から上記制御局に向けて間欠的に情報を送信する、上記フレーム周期の整数倍となる第２の周期を設定したことを特徴とする無線伝送制御方法。
【請求項７】
複数の通信局となる伝送装置を用いて無線ネットワークを構成し、該当する無線ネットワークの伝送制御にかかる管理情報に基づいて伝送制御を実行する制御局となる無線伝送制御装置において、
所定の期間でフレーム周期を設定する手段と、
上記フレーム周期の３以上の整数倍となる休眠周期と、その休眠周期よりも短い上記フレーム周期の２以上の整数倍となる動作周期を設定するスリープモード周期設定手段と、
上記無線ネットワークを構成する上記通信局からのスリープモード要求を、上記動作周期に受信する受信手段と、
所定の周期で該当する通信局のスリープモード解除要求を、上記動作周期に送信する送信手段とを備えた
無線伝送制御装置。
【請求項８】
複数の通信局となる伝送装置を用いて無線ネットワークを構成し、該当する無線ネットワークの伝送制御にかかる管理情報を送信または受信する通信局となる無線伝送装置において、
所定の制御局からの制御情報に基づいて、所定の期間でフレーム周期を設定する手段と、
上記フレーム周期の３以上の整数倍となる休眠周期と、その休眠周期よりも短い上記フレーム周期の２以上の整数倍となる動作周期を設定するスリープモード周期設定手段と、
上記無線ネットワークの制御局となる上記伝送装置に対して、スリープモード要求を、上記動作周期に送信する第1の送信手段と、
自局が情報送信を行いたいときに、上記制御局に対して、スリープモード解除要求を送信する第２の送信手段と、
所定の周期で上記制御局からのスリープモード解除要求を、上記動作周期に受信する受信手段とを備えた
無線伝送装置。
【発明の詳細な説明】
【０００１】
【発明の属する技術分野】
本発明は、例えば、無線信号を各種装置に伝送して、複数の機器間でローカルエリアネットワーク（ＬＡＮ）を構成する場合に適用して好適な無線伝送制御方法、無線伝送制御装置および無線伝送装置に関するものである。
【０００２】
【従来の技術】
従来から携帯電話などの通信システムにおいては、例えば、間欠受信モードにおいて間欠受信周期のみが規定されていて、情報送信については該当する伝送装置からの要求に従って、所定のランダムアクセスチャンネルを利用して、ネットワークの基地局に対して送信要求の通知を行う方法が利用されていた。
【０００３】
この方法では、移動する端末装置の管理を比較的大雑把に行っていたため、上述したように間欠受信周期のみを規定することで、移動機の消費電力を低減することができるという効果を得ることができるものであった。
【０００４】
また、従来からの無線通信システムにおける休眠状態を示すいわゆるスリープモードとしては、一般的に間欠送受信を行う周期が規定され、その周期の期間にわたって情報の送受信を行わないという方法が想定されていた。
【０００５】
そのため、上述した方法では、この間欠送受信の期間にわたって、その伝送装置の動作を一部停止することができるという利点があるため、かかる伝送装置の消費電力を低減することができるという効果があった。
【０００６】
【発明が解決しようとする課題】
前述した従来の携帯電話などの通信システムにおける間欠受信周期のみの設定では、移動機の電源が落とされてしまった場合には、該当するネットワーク内に電源が落とされた移動局が既に存在しないということを検出することができないという不都合があった。
【０００７】
つまり、携帯電話などの通信システムでは、所定の位置登録エリア内に登録されている移動局に対して、一斉に呼び出しを行って、この呼び出しに応答できないときに、初めて移動局側の電源が落とされていることを検出することができる仕組みになっていたため、これを小規模ネットワークに適用した場合、移動局の存在がわからないままに、システムが運用され続けていることになり、システム運用の管理品質が低下するという不都合があった。
【０００８】
また、携帯電話などのネットワークシステムでは、移動局における消費電力の低減を中心に考えられているため、ネットワーク全体における消費電力の低減を図ることが難しいという不都合があった。
【０００９】
また、従来からの間欠送受信周期の規定では、一般的には送信周期と受信周期が同時に規定されていたので、受信を行わなければならない周期を基準としてパラメータが決定されていたため、その受信を行う周期によって、送信を行う周期のパラメータが決定されてしまうため、柔軟な送信周期の設定ができず、かかる伝送装置の消費電力を低減するという効果が低減されてしまうという不都合があった。
【００１０】
そこで、本発明は、かかる点に鑑みてなされたものであり、スリープモードの場合にも、ネットワーク内に存在している伝送装置の確認を行うことができる無線伝送制御方法、無線伝送制御装置および無線伝送装置を提供することを課題とする。
【００１１】
【課題を解決するための手段】
ここで、本発明の無線伝送制御方法は、複数の通信局となる伝送装置を用いて無線ネットワークを構成し、該当する無線ネットワークの伝送制御を実行する無線伝送制御方法において、管理情報の交換を行う管理領域とデータの交換を行うデータ領域の存在する所定のフレーム周期を設けて、フレーム周期の３以上の整数倍となる休眠周期と、その休眠周期よりも短いフレーム周期の２以上の整数倍となる動作周期を設定して、動作周期に情報交換を行うものである。
【００１２】
これにより、ネットワーク内に存在している伝送装置を確認するために、スリープモードを定義した伝送装置の場合にも、一定の周期で所定の情報送信を行うことにより、一定の周期毎に所定の情報を、制御局と端末局である通信局との間で交換を行うことができる。
【００１３】
また、スリープモードにある通信局が上り管理情報を送信するために、複数フレームにわたって情報受信を行うことで、通常の動作モードと同じ情報のメンテナンスを行うことができる。
【００１４】
また、本発明の無線伝送制御装置は、無線ネットワークの制御局となる伝送装置からスリープモード中の該当通信局に間欠的に情報送信を行って該当通信局が受信を行う第１の周期を設定し、スリープモード中の該当通信局から制御局に向けて間欠的に情報を送信する第２の周期を設定したものである。
【００１５】
これにより、スリープモードにある通信局が間欠的に起動を行う周期として、下り管理情報の受信を行うための第１の周期と、上り管理情報の送信を行うための第２の周期とを規定したので、それぞれ異なった周期のタイミングで情報の受信または送信を周期的に行うことができる。
【００１６】
また、本発明の無線伝送制御装置は、制御局が、スリープモードにある通信局の起動をかけるために、該当する通信局が下り管理情報の受信を行う第１の周期に、必要に応じて所定の起動情報の通知を行うものである。
【００１７】
これにより、制御局は、一定の周期で該当通信局に情報の送信を行い、通常のネットワークの管理手順と同じ方法を用いることにより、該当通信局のスリープモードからの復旧を容易にすることができる。
【００１８】
また、本発明の無線伝送制御方法は、スリープモードにある通信局からスリープモードの解除を行うために、第１の周期に存在する局同期区間を利用して、制御局に対してスリープモードの解除要求を行うものである。
【００１９】
これにより、制御局からのスリープモードの解除指示が伝送されてくる周期に連動して、該当通信局はこの第１の間欠受信周期の設定を行うことができる。
【００２０】
【発明の実施の形態】
本実施の形態の無線伝送制御方法は、スリープモードにある通信局が所定の周期で間欠動作を行う場合に、第１の周期で該当通信局が受信を行って制御局からの起動要求の有無を確認し、第２の周期で該当通信局が情報送信を行って制御局対してネットワークに存在することの通知を行うものである。
【００２１】
以下に、本実施の形態を説明する。図１は本実施の形態の無線伝送制御方法が適用されるネットワークシステムの構成例を示す図である。
例えば、図１に示すように、無線伝送装置１１にはケーブル等を介してパーソナルコンピュータ１およびプリンタ出力装置２が有線接続される。また、無線伝送装置１２には同様にケーブル等を介してＶＴＲ（ビデオテープレコーダ）３が有線接続される。また、無線伝送装置１３には同様にケーブル等を介して電話機器５およびセットトップボックス４が有線接続される。また、無線伝送装置１４には同様にしてケーブル等を介してテレビジョン受像機６およびゲーム機器７が有線接続される。このようにして、各機器が各無線伝送装置に接続され、各無線伝送装置がネットワーク１５を構成している。
【００２２】
ここでは、便宜上、パーソナルコンピュータ１が、アイソクロナス伝送のオーナーとなり、無線伝送装置１１を介して所定の希望品質の通知を行い、セットトップボックス４がアイソクロナス伝送のトーカーとなり、無線伝送装置１３を介して情報送信を行い、ＶＴＲ３がアイソクロナス伝送のリスナーとなり、無線伝送装置１２を介して情報受信を行い、所定の帯域予約伝送が、無線伝送装置１３から無線伝送装置１２に対して行われる。
【００２３】
また、これらの帯域予約伝送を、ネットワーク１５の制御局となる無線伝送装置１１がとりまとめる構成になっている。
【００２４】
図２に、各通信局を構成する無線伝送装置１１〜１４の構成例を示す。
ここでは、各無線伝送装置１１〜１４は基本的に共通の構成とされ、送信および受信を行うアンテナ２１と、このアンテナ２１に接続されて無線送信処理および無線受信処理を行う無線送受信処理部２２を備えて、他の伝送装置との間の無線伝送ができる構成としている。
【００２５】
この場合、本例の無線送受信処理部２２で送信および受信が行われる伝送方式としては、例えばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）方式と称されるマルチキャリア信号による伝送方式を適用し、送信および受信に使用する周波数としては、例えば非常に高い周波数帯域（例えば５ＧＨｚ帯）が使用される。
【００２６】
また、本例の場合には、送信出力については、比較的弱い出力が設定され、例えば屋内で使用する場合、数ｍ〜数十ｍ程度までの比較的短い距離の無線伝送ができる程度の出力としてある。
【００２７】
そして、無線送受信処理部２２で受信した信号のデータ変換及び無線送受信処理部２２で送信する信号のデータ変換を行うデータ変換部２３を備える。
【００２８】
このデータ変換部２３で変換されたデータを、インターフェース部２４を介して、接続される機器２８に供給すると共に、接続される機器２８から供給されるデータを、インターフェース部２４を介してデータ変換部２３に供給して変換処理できる構成としてある。
【００２９】
ここでは、無線伝送装置のインターフェース部２４の外部インターフェースとして、例えば、ＩＥＥＥ１３９４フォーマットのような高速シリアルバス２７を経由して、接続される機器２８に対して、音声や映像情報、あるいは各種データ情報の送受信が行うことができる構成としてある。
【００３０】
あるいは、接続される機器２８の本体内部に、これら無線伝送装置を内蔵させるように構成させても良い。
【００３１】
また、各無線伝送装置内の各部は、マイクロコンピュータなどで構成された制御部２５の制御に基づいて処理を実行する構成としてある。
【００３２】
この場合、各無線伝送装置の無線送受信処理部２２で受信した信号が、管理領域の信号である場合は、その受信した信号を、データ変換部２３を介して制御部２５に供給して、制御部２５がその受信した各情報で示される状態に各部を設定する構成としてある。
【００３３】
さらに、制御部２５には内部メモリー２６が接続してあり、その内部メモリー２６に、通信制御に必要なデータや、ネットワークを構成する通信局数、帯域予約数など、無線ネットワークと無線伝送路の利用方法の情報を一時記憶させる構成としてある。
【００３４】
さらに、ネットワークの制御局１１となる無線伝送装置では、制御部２５から所定のフレーム周期で該当ネットワークの後述するサイクルスタート（ＣＳ）信号が、データ変換部２３を介して、無線送受信処理部２２に供給されて無線送信される構成としてある。
【００３５】
また、ネットワークの制御局以外の伝送装置１２〜１４では、受信した信号がサイクルスタート（ＣＳ）信号である場合には、その受信した信号を、データ変換部２３を介して制御部２５に供給して、その同期信号の受信のタイミングを制御部２５が判断して、その同期信号に基づいたフレーム周期を設定して、そのフレーム周期で通信制御処理を実行する構成としてある。
【００３６】
図３は、本実施の形態による無線伝送フレーム構成例を示す図である。ここでは、便宜的にフレームを規定して示しているが、このようなフレーム構造を取る必要は必ずしもない。図中、無線伝送路３０において、一定の伝送フレーム周期３１毎に到来する伝送フレームが規定されて、この中に管理情報伝送領域３２と情報伝送領域３３が設けられていることを表している。
【００３７】
このフレームの先頭にはフレーム同期やネットワーク共通情報の報知のための下り管理情報伝送区間３４（フレームスタート（ＦＳ：Ｆｒａｍｅ  Ｓｔａｒｔ））区間が配置され、これに続いて、必要に応じて時間情報補正伝送区間３５（サイクルレポート（ＣＲ：Ｃｙｃｌｅ  Ｒｅｐｏｒｔ））が配置され、さらに、局同期信号送受区間３６（ステーションシンク（ＳＳ：Ｓｔａｔｉｏｎ  Ｓｙｎｃ））が配置されている。
【００３８】
下り管理情報伝送区間（ＦＳ）は、ネットワークで共有する必要のある情報を、制御局から送信するために利用され、固定長領域と可変長領域とから成り立っている。
【００３９】
固定長領域では、可変長領域の長さを特定するために、局同期信号送受区間（ＳＳ）で送信される通信局の数の指定や、帯域予約伝送領域（ＲＳＶ）の数の指定が行われて、その可変長領域で、局同期信号送受区間（ＳＳ）で送信される通信局の指定や、帯域予約伝送領域（ＲＳＶ）の指定が行われる構造になっている。
【００４０】
この局同期信号送受区間（ＳＳ）は、所定の長さを有しており、ネットワークを構成する各通信局に対して、下り管理情報によって、送信する通信局がある程度の周期を持ってそれぞれ割り当てられる構成が考えられている。
【００４１】
例えば、この局同期信号送受区間（ＳＳ）のうち、自局の送信部分以外の全てを受信することで、自局の周辺に存在する通信局との間の接続リンク状態の把握を行うことができる。
【００４２】
さらに、次の自局が局同期信号送受区間（ＳＳ）で送信する情報の中に、この接続リンク状況を報告し合うことで、ネットワークの接続状況を各通信局で、それぞれ把握させることができる構成としてある。
【００４３】
情報伝送領域３３は、必要に応じて設定される帯域予約伝送領域（ＲＳＶ：Ｒｅｓｅｒｖｅ）３７と、制御局が伝送制御を行う集中管理の非同期伝送領域（ＡＳＹ：Ａｓｙｎｃｈｒｏｎｏｕｓ）３８と、制御局が伝送制御を行わない分散制御の未使用領域（ＮＵＡ：Ｎｏｔ  Ｕｓｉｎｇ  Ａｒｅａ）３９によって構成されている。
【００４４】
つまり、帯域予約伝送（ＲＳＶ）や、未使用領域（ＮＵＡ）の必要がなければ、情報伝送領域３３のすべてを集中管理の非同期伝送領域（ＡＳＹ）３８として伝送することができる。
【００４５】
このようなフレーム構造を採ることによって、帯域予約伝送領域（ＲＳＶ）３７では、例えばＩＥＥＥ１３９４フォーマットによって規定されるアイソクロナス（Ｉｓｏｃｈｒｏｎｏｕｓ）伝送が行われて、非同期伝送領域（ＡＳＹ）３８では、非同期（Ａｓｙｎｃｈｒｏｎｏｕｓ）伝送などが行える構成とすると好適である。
【００４６】
図４は、通常モードからスリープモードへの移行手続シーケンスの動作例を示す図である。
図中、通常モード４３からスリープモード４６へ移行しようとしている当事局４２から、制御局４１あてに、スリープモード申請ビット４４をオン（ＯＮ）にしたＳＳＰ（Ｓｔａｔｉｏｎ  Ｓｙｎｃ  Ｐａｃｋｅｔ）の送信を行う。
【００４７】
上述したスリープモード申請ビット４４をオン（ＯＮ）にしてスリープモード４６へ移行する要求を受けた制御局４１では、ＦＳＰ（Ｆｒａｍｅ  ＳｔａｒｔＰａｃｋｅｔ）の該当するステーション情報の中のＳＳＰ要求ビットをオフ（ＯＦＦ）にすることで、当事局４２に対して通常モード４３からスリープモード４６へ移行する旨の通知を行う。
【００４８】
さらに、上述した該当するステーション情報の中のＳＳＰ要求ビットをオフ（ＯＦＦ）にする記載のあるＦＳＰを受信した当事局４２では、以降、スリープモード４６に移行するものとする。
【００４９】
図５は、当事局によるスリープモードから通常モードへの移行手続のシーケンスの動作例を示す図である。
図中、スリープモード５３から通常モード５６へ移行しようとしている当事局５２から、制御局５１あてに、スリープモード申請ビット５４をオフ（ＯＦＦ）にしたＳＳＰの送信を行う。
【００５０】
上述したスリープモード申請ビット５４をオフ（ＯＦＦ）にして通常モード５６へ移行する要求を受けた制御局５１では、ＦＳＰの該当するステーション情報の中のＳＳＰ要求ビット５５をオン（ＯＮ）にすることで、当事局５２に対してスリープモード５３から通常モード５６へ移行する旨の通知を行う。
【００５１】
さらに、上述した該当するステーション情報の中のＳＳＰ要求ビット５５をオン（ＯＮ）にする記載のあるＦＳＰを受信した当事局５２では、以降、通常モード５６に移行する。
【００５２】
図６は、制御局によるスリープモードから通常モードへの移行手続のシーケンスの動作例を示す図である。
図中、制御局６１から、スリープモード６３から通常モード６６へ移行させようとしている当事局６２に対して、ＦＳＰの該当するステーション情報の中のＳＳＰ要求ビット６４をオン（ＯＮ）にして、スリープモードの解除要求の通知を行う。
【００５３】
上述したＳＳＰ要求ビット６４をオン（ＯＮ）にして通常モード６６へ移行するスリープモードの解除要求を受けたスリープモード中の当事局６２においては、スリープモード申請ビット６５をオフ（ＯＦＦ）にしたＳＳＰの送信をすることで、制御局６１に対してスリープモード６３から通常モード６６へ移行する旨の通知を行い、以降、通常モード６６に移行する。
【００５４】
図７は、一定周期で所定の情報送信を行う方法における動作シーケンスの流れの経時変化を表した図である。
図中、立ち上がった状態の部分では、動作を行っていることを示している。
ここでは、スリープモードにある通信局において、一旦ＳＳＰ送信７４が行われた後に、送信周期７１にわたって休眠状態となり、その所定の送信周期７１が経過した後に、再度ＳＳＰ送信７６が繰り返されることを表している。
【００５５】
なお、ここでは、ＳＳＰ送信７６の前に、ＳＳＰ周期７２においてネットワーク内の周辺の通信局からのＳＳＰ受信７５を間欠的に行って、周辺の通信局のＳＳＰ測定を行っておくことにより、通常モードと同等の報告を行うことができる。
【００５６】
上述したＳＳＰ周期７２はＳＳＰ送信７６が行われる１フレーム７３の期間の整数倍に相当する期間である。
【００５７】
図８は、一定周期で所定の情報送受信を行う方法における動作シーケンスの流れの経時変化を表した図である。
図中、立ち上がった状態の部分では、動作を行っていることを示している。
ここでは、スリープモードにおける通信局において、所定の送信周期８１毎に、ネットワーク内の周辺の通信局からのＳＳＰ受信８３を行ってＳＳＰ測定が行われ、その後、送信周期８１の期間にわたって休眠状態となり、次の送信周期において、ＳＳＰ周期８２においてネットワーク内の周辺の通信局から再度ＳＳＰ受信８４を行ってＳＳＰ測定が行われると共に、前回測定されたＳＳＰ測定結果を自局からＳＳＰ送信８３、８４にて制御局に対して報告を繰り返して行う動作を表している。
【００５８】
図９は、第１の周期に受信処理を行う方法における動作シーケンスの流れの経時変化を表した図である。
図中、立ち上がった状態の部分では、動作を行っていることを示している。
ここでは、スリープモードにある通信局において、自局の起動信号が含まれているステーション情報が制御局から送信されてくる周期毎にＦＳＰ受信９２が行われて、その後、その第１の周期の期間９１にわたって受信動作をしていた通信局が休眠状態となり、次の自局の起動信号が含まれるステーション情報が制御局から送信されてくる周期において、再度ＦＳＰ受信９３、９４、９５、９６、９７が繰り返されることを表している。
【００５９】
図１０は、第２の周期に送信処理を行う方法における動作シーケンスの流れの経時変化を表した図である。
図中、立ち上がった状態の部分では、動作を行っていることを示している。
ここでは、スリープモードにある通信局において、ＳＳＰ送信１０２の動作が行われ、その後、第２の周期１０１にわたって送信動作をしていた通信局を休眠状態として、その後、その第２の周期１０１が経過した後、ＳＳＰ送信１０３の動作が繰り返されることを表している。
【００６０】
上述した通信局となる無線伝送装置は、図９に示した第１の周期に受信処理を行うと共に、図１０に示した第２の周期に送信処理を行うものである。
【００６１】
また、図１０に示した第２の周期に行われる情報送信処理については、図７に示した一定周期で所定の情報送信を行う方法と、図８に示した一定周期で所定の情報送受信を行う方法とを組み合わせた処理方法を用いても良い。
【００６２】
つまり、図７に示す送信周期７１に図１０に示す第２の送信周期１０１を対応させて、図７に示すＳＳＰ送信７４、７６に、図１０に示すＳＳＰ送信１０２、１０３を対応させてもよい。
【００６３】
また、図８に示す送信周期８１に図１０に示す第２の送信周期１０１を対応させて、図８に示すＳＳＰ送信８３、８４に、図１０に示すＳＳＰ送信１０２、１０３を対応させてもよい。
【００６４】
図１１は、フレームスタートパケットの構成例を示した図である。
このフレームスタートパケットは、図３に示した下り管理情報伝送区間（ＦＳ）３４において、ネットワークの制御局から、ネットワーク上の全ステーションに対して送信される情報である。
【００６５】
このパケット構成としては、このフレームの開示時間を示す：サイクルタイム１１１−１、このネットワークを識別するための：ネットワークＩＤ１１１−２、このフレームスタートパケット（ＦＳＰ）に含まれている情報を一斉に更新するまでのタイミングを示すアップデートタイマ１１１−３、ＳＳＰに含まれる情報の順番を示す：ＳＳＰカウンタ１１１−４、ＳＳＰの送信周期を示す：ＳＳＰ周期１１１−５、フレーム内に存在するＳＳＰの数を示す：ＳＳＰ数１１１−６、現在の帯域予約情報数を示す：スロット情報数１１２−１、フレームの終了位置を示す：フレーム終了ポインタ１１２−２、任意の情報数を示す：可変長フレーム情報サイズ１１２−３、そして、誤り検出のためのＣＲＣ（Ｃｙｃｌｉｃ  Ｒｅｄｕｎｄａｎｃｙ  Ｃｈｅｃｋ）１１２−４によって、固定長の情報として配置される。
【００６６】
これに、ＳＳＰ数に応じて可変長となる：ステーション情報（＃１）１１３−１、ステーション情報（＃２）１１３−２、ステーション情報（＃３）１１３−３、ステーション情報（＃４）１１３−４、さらに、スロット情報数に応じて可変長となる：スロット情報（＃１）１１４−１、スロット情報（＃２）１１４−２、そして、誤り検出のためのＣＲＣ１１４−３が、可変長の情報として配置される。
【００６７】
図１２は、フレームスタートパケット内のステーション情報の構成例を示す図である。
このステーション情報には、該当するステーションを識別するための：ステーション番号１２１、スリープモードを解除して動作モードに移行するために用いられるそのステーションの稼働状態を示すステーション状態１２２、ステーションシンクパケットの送信要求を行うＳＳＰ要求１２３、さらに将来の拡張のための部分を予備１２４として配置している。
【００６８】
図１３は、ステーションシンクパケットの構成例を示す図である。
このステーションシンクパケットは、図３に示した局同期情報送受区間（ＳＳ）３６において、ＣＳＰ（サイクルスタートパケット）のステーション情報にて指定を受けたステーション（通信局）が、制御局や周辺の通信局に対して送信する情報である。
【００６９】
このパケットの構成としては、制御局に対して休眠状態に入ることを通知する：スリープモード申請１３１、アクセス制御権の優先順位の指定を行う：プライオリティ１３２、このステーションの情報処理能力を表す：能力１３３、それに、他のステーションとの接続リンク情報を表す：（＃１）１３４、（＃２）１３５、（＃３）１３６、（＃４）１３７と、誤り検出のためのＣＲＣ１３８で構成されている。
【００７０】
なお、上述した本実施の形態はワイヤレス１３９４に適用される例を示したが、これに限らず、他の無線ネットワークにも適用されることはいうまでもない。
【００７１】
【発明の効果】
本発明の無線伝送制御方法によれば、スリープモード中に一定の周期で所定の情報送信を行うことによって、該当するスリープモード中の通信局がネットワークから切除されたことを他の通信局が容易に知ることができ、これにより、効率的な情報通信の制御を行うことができるという効果を奏する。
【００７２】
また、本発明の無線伝送制御方法によれば、通信局がスリープモードで動作している期間において、その間欠動作時に、通常モードと同じ情報の交換を行うことによって、通常モードへの復旧をより短時間で行うことができるという効果を奏する。
【００７３】
また、本発明の無線伝送制御方法によれば、第１の間欠受信周期と、第２の間欠送信周期とを規定することによって、スリープモード中にある通信局において、それぞれ最適な周期の設定を行うことができるという効果を奏する。
【００７４】
また、本発明の無線伝送制御方法によれば、第２の間欠送信周期よりも短い周期で間欠受信を行うことによって、より短時間でスリープモード中の通信局に対して、スリープモードを解除して、通常モードを起動させることができるという効果を奏する。
【００７５】
また、本発明の無線伝送制御方法によれば、スリープモードにあるステーションが、通常モードに移行したい場合には、第１の受信周期に存在する自局の局同期信号送受区間を用いて、制御局に対して通知を行うことができるので、通信局がスリープモードにあっても、短時間に通常モードへ復旧させることができるという効果を奏する。
【００７６】
また、本発明の無線伝送制御装置によれば、制御局と休眠状態にある通信局の間で、所定の周期でスリープモードにある通信局の起動処理を行うタイミングを規定することによって、その周期以外のタイミングを休眠状態とする無線伝送制御装置を得ることができるという効果を奏する。
【００７７】
また、本発明の無線伝送装置によれば、休眠状態の通信局では、制御局から起動処理信号が送られてくるタイミング以外の処理を行わなくても済むため、通信局の消費電力を低減することができるという効果を奏する。
【図面の簡単な説明】
【図１】本実施の形態の無線伝送制御方法が適用される無線ネットワーク構成例を示す図である。
【図２】各通信局を構成する無線伝送装置の構成例を示す図である。
【図３】無線伝送フレーム構成例を示す図である。
【図４】スリープモード移行動作例を示す図である。
【図５】スリープモード能動解除動作例を示す図である。
【図６】スリープモード受動解除動作例を示す図である。
【図７】一定周期で所定の情報送信を行う方法を示すタイミングチャートである。
【図８】一定周期で所定の情報を送受信しあう方法を示すタイミングチャートである。
【図９】第１の周期に受信処理を行う方法を示すタイミングチャートである。
【図１０】第２の周期に送信処理を行う方法を示すタイミングチャートである。
【図１１】フレームスタートパケットの構成例を示す図である。
【図１２】ステーション情報の構成例を示す図である。
【図１３】ステーションシンクパケットの構成例を示す図である。
【符号の説明】
１１，１２，１３，１４……無線伝送装置、１５……ネットワーク、２１……アンテナ、２２……無線送受信処理部、２３……データ変換部、２４……外部インターフェース部、２５……制御部、２６……内部メモリー、２７……シリアルバス、２８……接続される機器、３４……下り管理情報伝送区間（ＦＳ）、３６……局同期信号送受区間（ＳＳ）、４１……制御局、４２……当事局、４３……通常モード、４４……スリープモード申請ビットＯＮ（ＳＳＰ）、４５……ＳＳＰ要求ビットＯＦＦ（ＦＳＰ）、４６……スリープモード、５１……制御局、５２……当事局、５３……スリープモード、５４……スリープモード申請ビットＯＦＦ（ＳＳＰ）、５５……ＳＳＰ要求ビットＯＮ（ＦＳＰ）、５６……通常モード、６１……制御局、６２……当事局、６３……スリープモード、６４……ＳＳＰ要求ビットＯＮ（ＦＳＰ）、６５……スリープモード申請ビットＯＦＦ（ＳＳＰ）、６６……通常モード、７１……送信周期、７２……ＳＳＰ周期、７３……１フレーム、７４……ＳＳＰ送信、７５……ＳＳＰ受信、７６……ＳＳＰ送信、８１……送信周期、８２……ＳＳＰ周期、８３……ＳＳＰ受信／送信、８４……ＳＳＰ受信／送信、９１……第１の受信周期、９２〜９７……ＦＳＰ受信、１０１……第２の送信周期、１０２、１０３……ＳＳＰ送信、１１１−１……サイクルタイム、１１１−２……ネットワークＩＤ、１１１−３……アップデートカウンタ、１１１−４……ＳＳＰカウンタ、１１１−５……ＳＳＰ周期、１１１−６……ＳＳＰ数、１１２−１……スロット情報サイズ、１１２−２……フレーム終了ポインタ、１１２−３……可変長フレーム情報サイズ、１１３−１……ステーション情報（＃１）、１１３−２……ステーション情報（＃２）、１１３−３……ステーション情報（＃３）、１１３−４……ステーション情報（＃４）、１１４−１……スロット情報（＃１）、１１４−２……スロット情報（＃２）、１２１……ステーション番号、１２２……ステーション状態、１２３……ＳＳＰ要求、１２４……予備、１３１……スリープモード申請、１３２……プライオリティ、１３４……接続リンク情報（＃１）、１３５……接続リンク情報（＃２）、１３６……接続リンク情報（＃３）、１３７……接続リンク情報（＃４）
【図１】
0004403342.tif 000002
【図２】
0004403342.tif 000003
【図３】
0004403342.tif 000004
【図４】
0004403342.tif 000005
【図５】
0004403342.tif 000006
【図６】
0004403342.tif 000007
【図７】
0004403342.tif 000008
【図８】
0004403342.tif 000009
【図９】
0004403342.tif 000010
【図１０】
0004403342.tif 000011
【図１１】
0004403342.tif 000012
【図１２】
0004403342.tif 000013
【図１３】
0004403342.tif 000014